(57)【特許請求の範囲】
【請求項１】
内面と外面とを有する、少なくとも部分的に中空の長尺状構造体であって、近位端部における第１開口部と、前記長尺状構造体の長さに沿った第２開口部と、を更に有し、前記第２開口部が、前記内面から前記外面に延びる、前記長尺状構造体と、
内面と、突出部を含む外面と、を有する、少なくとも部分的に中空のスリーブであって、前記突出部が、前記第２開口部を通って前記長尺状構造体の前記外面に延びることによりグリップ部材が形成される、前記スリーブと、を備え、
前記長尺状構造体の前記近位端部が、カートリッジ支持構造体の近位端部と分離可能に係合するよう適合され、
前記カートリッジ支持構造体の前記近位端部がリブを含み、前記リブが、前記少なくとも部分的に中空のスリーブの内面上の対応する溝と係合可能に嵌り合う、カミソリハンドル。
【請求項２】
前記少なくとも部分的に中空のスリーブがエラストマー材を含む、請求項１に記載のカミソリハンドル。
【請求項３】
前記少なくとも部分的に中空のスリーブが、前記長尺状構造体の前記第１開口部、前記第２開口部、又は追加の開口部内にポリマー材料を射出成形することにより形成される、請求項１に記載のカミソリハンドル。
【請求項４】
前記追加の開口部が、前記長尺状構造体の遠位端部にある、請求項３に記載のカミソリハンドル。
【請求項５】
内面と外面とを有する、少なくとも部分的に中空の長尺状構造体であって、近位端部における第１開口部と、前記長尺状構造体の長さに沿った第２開口部と、を更に有し、前記第２開口部が、前記内面から前記外面に延びる、前記長尺状構造体と、
内面と、突出部を含む外面と、を有する、少なくとも部分的に中空のスリーブであって、前記突出部が、前記第２開口部を通って前記長尺状構造体の前記外面に延びることによりグリップ部材が形成される、前記スリーブと、
上部分と下部分と近位端部と遠位端部とを有するカートリッジ支持構造体と、を備え、  前記カートリッジ支持構造体の前記近位端部が、前記長尺状構造体の前記近位端部と係合可能かつ分離可能に嵌り合うよう適合され、前記カートリッジ支持構造体の前記近位端部がリブを含み、前記リブが、前記少なくとも部分的に中空のスリーブの内面上の対応する溝と係合可能に嵌り合い、前記カートリッジ支持構造体の前記遠位端部が、カミソリカートリッジと解放可能に係合するよう適合されている、剃毛器具。
【請求項６】
前記カミソリカートリッジを係合又は離脱させるための接続アセンブリを更に備え、前記接続アセンブリが、前記上部分と前記下部分との間に位置する、請求項５に記載の剃毛器具。
【請求項７】
前記接続アセンブリが可動部材を含み、
前記可動部材が、第１位置において互いに向かって移動して前記カミソリカートリッジを離脱させ、第２位置において互いから離れるよう移動して前記カミソリカートリッジを係合させる、請求項６に記載の剃毛器具。
【請求項８】
前記接続アセンブリが、前記カミソリカートリッジから所定の力を受けることによって前記可動部材を解放可能に係合させるよう適合され、それにより前記可動部材を前記第２位置に解放して前記カミソリカートリッジに係合させる、請求項７に記載の剃毛器具。
【請求項９】
前記少なくとも部分的に中空のスリーブがエラストマー材を含む、請求項５に記載の剃毛器具。
【請求項１０】
（ａ）内面と外面とを有する長尺状構造体であって、近位端部における第１開口部と、前記長尺状構造体の長さに沿った第２開口部と、を更に有し、前記第２開口部が、前記内面から前記外面に延びる、少なくとも部分的に中空の前記長尺状構造体を提供する工程と、
（ｂ）内面と、突出部を含む外面と、を有する、少なくとも部分的に中空のスリーブであって、前記突出部が、前記第２開口部を通って前記長尺状構造体の前記外面に延びることによりグリップ部材が形成される、前記スリーブを提供する工程と、を含み、
前記長尺状構造体の前記近位端部が、カートリッジ支持構造体の近位端部と分離可能に係合するよう適合され、
前記カートリッジ支持構造体の前記近位端部がリブを含み、前記リブが、前記少なくとも部分的に中空のスリーブの内面上の対応する溝と係合可能に嵌り合う、カミソリハンドルの製造方法。
【請求項１１】
前記スリーブが、前記長尺状構造体の前記第１開口部、前記第２開口部、又は追加の開口部にポリマー材料を射出成形することにより形成される、請求項１０に記載の方法。
【発明の詳細な説明】
【背景技術】
【０００１】
本発明は、ハンドルと、交換可能なカートリッジと、を有する剃毛システムに関する。
【技術分野】
【０００２】
剃毛システムは、ハンドルと、交換可能なカートリッジと、からなることが多く、カートリッジ中には、１枚以上のブレードが、プラスチックハウジングの中に装着されている。カートリッジ内のブレードが使用のために鈍くなった後で、カートリッジは廃棄されて、ハンドル上に新しいカートリッジが置き換えられる。いくつかの剃毛システムでは、ブレードは、カートリッジハウジングに関連して弾性的に取り付けられ、剃毛中、皮膚接触の力の下で向きを変える。いくつかの剃毛システムでは、カートリッジのハンドルへの連結部が、カートリッジのハンドルに対する旋回取付けをもたらし、その結果、カートリッジの角度が、剃られている表面の形状に追従するように調整される。そのようなシステムでは、カートリッジは、カートリッジハウジング上のカム表面に当てられてハンドル上に担持された、ばねで偏倚されるプランジャー（カムフォロワー）の作用によって、静止位置向きに偏倚することができる。
【０００３】
例えば、Ｆｒｅｕｎｄらに付与され、Ｔｈｅ  Ｇｉｌｌｅｔｔｅ  Ｃｏｍｐａｎｙに譲渡された米国特許第７，３６７，１２６号には、グリップを有し、商標名Ｇｉｌｌｅｔｔｅ（登録商標）Ｆｕｓｉｏｎ  Ｐｏｗｅｒ（商標）の下で販売されている電動湿式剃毛カミソリが開示されている。グリップチューブは、グリップチューブと基部との間でモジュール式であり、それにより互いに連結された際、カミソリヘッドをグリップ部分上に取り付けるのに先だって水密ユニットが形成される。
【０００４】
Ｍｉｃｈａｅｌ  Ｂｏｎｄに付与され、Ｔｈｅ  Ｇｉｌｌｅｔｔｅ  Ｃｏｍｐａｎｙに譲渡された米国特許第４，５１４，９０４号には、ハウジング部材をハンドルに圧入して取り付けられる、商標名Ｇｉｌｌｅｔｔｅ（登録商標）Ａｔｒａ（登録商標）又はＡｔｒａ  Ｐｌｕｓ（登録商標）で販売されているカミソリが記載されている。しかしながら、圧入は水密シールを提供しない。
【先行技術文献】
【特許文献】
【０００５】
【特許文献１】米国特許第７，３６７，１２６号
【特許文献２】米国特許第４，５１４，９０４号
【発明の概要】
【発明が解決しようとする課題】
【０００６】
したがって、液体を概ね通さない改良されたアセンブリを有する低コストのカミソリ、特にカミソリハンドルを提供する必要がある。
【課題を解決するための手段】
【０００７】
一態様において、本発明は、一般にカミソリハンドルに関する。カミソリハンドルは、少なくとも部分的に中空の長尺状構造体と、少なくとも部分的に中空のスリーブと、を含む。長尺状構造体は、内面と、外面と、近位端部における第１開口部と、長尺状構造体の長さに沿った第２開口部と、を有し、第２開口部が、内面から外面に延びる。スリーブは、内面と、突出部を含む外面と、を有し、突出部が、第２開口部を通って長尺状構造体の外面に延びて、グリップ部材を形成する。
【０００８】
別の態様において、本発明は、一般にカミソリハンドルの製造方法に関し、方法は、少なくとも部分的に中空の長尺状構造体と、少なくとも部分的に中空のスリーブと、を提供する工程を含む。長尺状構造体は、内面と、外面と、近位端部における第１開口部と、長尺状構造体の長さに沿った第２開口部と、を有し、第２開口部が、内面から外面に延びる。スリーブは、内面と、突出部を含む外面と、を有し、突出部は第２開口部を通って長尺状構造体の外面に延びて、グリップ部材を形成する。
【０００９】
更に、別の態様において、本発明は、一般に剃毛器具を含む。剃毛器具は、少なくとも部分的に中空の長尺状構造体と、少なくとも部分的に中空のスリーブと、カートリッジ支持構造体と、を含む。長尺状構造体は、内面と、外面と、近位端部における第１開口部と、長尺状構造体の長さに沿った第２開口部と、を有し、第２開口部が、内面から外面に延びる。スリーブは、内面と、突出部を含む外面と、を有し、突出部は第２開口部を通って長尺状構造体の外面に延びて、グリップ部材を形成する。カートリッジ支持構造体は、上部分と下部分と、近位端部と遠位端部と、を含む。カートリッジ支持構造体の近位端部は、長尺状構造体の近位端部と係合可能に嵌り合うよう適合され、遠位端部は、カミソリカートリッジと解放可能に係合するよう適合されている。
【００１０】
本発明の特徴は、次の利点の１つ以上を有することができる。構成部分は、より速いサイクル時間を可能とするので、同様の寸法及び人間工学的である、より一般的に知られているハンドルよりも製造コストを削減することができる。
【００１１】
本発明の他の特徴及び利点は、説明及び図面、並びに特許請求の範囲から明らかになる。
【図面の簡単な説明】
【００１２】
【図１】剃毛器具の斜視図。
【図２Ａ】少なくとも部分的に中空のスリーブの斜視図。
【図２Ｂ】少なくとも部分的に中空の長尺状構造体の斜視図。
【図３】カートリッジ支持構造体がハンドルから分離された、図１の剃毛器具のＡ−Ａ線による断面図。
【図４】図１の剃毛器具のＡ−Ａ線による断面図。
【図５】接続アセンブリを有し、上部分が除去されたカートリッジ支持構造体の平面図。
【図６】上部分が除去されたカートリッジ支持構造体内の接続アセンブリの正面図。
【図７Ａ】第１位置にある剃毛器具の斜視図。
【図７Ｂ】第２位置にある剃毛器具の斜視図。
【図８】剃毛器具の斜視図。
【図９】剃毛器具の平面斜視図。
【図１０】剃毛器具の底面斜視図。
【図１１】剃毛器具の側方斜視図。
【図１２】剃毛器具の前方端面図。
【図１３】剃毛器具の後方端面図。
【図１４】カミソリハンドルの側方斜視図。
【図１５】カミソリハンドルの平面斜視図。
【図１６】カミソリハンドルの底面斜視図。
【図１７】カミソリハンドルの前方端面図。
【図１８】カミソリハンドルの後方端面図。
【発明を実施するための形態】
【００１３】
図を参照すると、図１〜４には、ハンドル１０２と、カートリッジ支持構造体３００と、を含む剃毛器具１００が示されている。ハンドル１０２は、少なくとも部分的に中空の長尺状構造体１０４を含む。長尺状構造体１０４は、内面１０６と、外面１０８と、近位端部１１２における第１開口部１１０と、長尺状構造体の長さに沿った第２開口部１１６と、を有し、第２開口部が、内面１０６から外面１０８に延びる。一実施形態において、長尺状構造体は、遠位端部１１４に追加の開口部１２０を有する。代替的に、長尺状構造体１０４は、長さに沿った多数の開口部１１６ｂ、１１６ｃを有してもよい。別の実施形態において、長尺状構造体１０４は、カートリッジ支持構造体３００上のリブ３１２と係合可能に嵌り合うための対応する溝１１８も含む。
【００１４】
長尺状構造体１０４は、ポリスチレン、ポリプロピレン、アクリロニトリルブタジエンスチレン、アクリリック、エチレンビニルアセテート、エチレンビニルアルコール、フッ素樹脂、ポリアセタール、ポリアクリレート、ポリアクリロニトリル、ポリアミド、ポリアミドイミド、ポリアリールエーテルケトン、ポリブタジエン、ポリブチレン、ポリブチレンテレフタレート、ポリエチレンテレフタレート、ポリカーボネート、ポリケトン、ポリエステル、ポリエチレン、ポリエーテルエーテルケトン、ポリエーテルイミド、ポリスルホン、ポリイミド、ポリフェニレン、ポリスルホン、ポリ塩化ビニル、ポリ塩化ビニリデン、熱可塑性樹脂、エラストマー類、及びこれらの組み合わせからなる群より選択されるポリマー材料を含んでもよい。特に、好適なポリスチレンは、Ｔｈｅ  Ｓｕｐｒｅｍｅ  Ｉｎｄｕｓｔｒｉｅｓ  Ｌｉｍｉｔｅｄ製のＳｕｐｒｅｍｅ  ＳＨ７３１Ｈ２ＹＧ  Ｈｉｇｈ  Ｉｍｐａｃｔ  Ｐｏｌｙｓｔｙｒｅｎｅ（ＨＩＰＳ）である。
【００１５】
図２Ａと２Ｂとに示されるように、ハンドル１０２は、長尺状構造体１０４内に配置された少なくとも部分的に中空のスリーブ２００を含む。スリーブ２００は、内面２０２と外面２０４とを有する。ハンドル１０２は、外面２０４上に位置する突出部２０６から形成されるグリップ部材を有し、突出部２０６は、開口部１１６を通って延びる。一実施形態において、スリーブ２００は、カートリッジ支持構造体３００上のリブ３１２と係合可能に嵌り合うための対応する溝も含む。
【００１６】
スリーブ２００は、ポリスチレン、ポリプロピレン、アクリロニトリルブタジエンスチレン、アクリリック、エチレンビニルアセテート、エチレンビニルアルコール、フッ素樹脂、ポリアセタール、ポリアクリレート、ポリアクリロニトリル、ポリアミド、ポリアミドイミド、ポリアリールエーテルケトン、ポリブタジエン、ポリブチレン、ポリブチレンテレフタレート、ポリエチレンテレフタレート、ポリカーボネート、ポリケトン、ポリエステル、ポリエチレン、ポリエーテルエーテルケトン、ポリエーテルイミド、ポリスルホン、ポリイミド、ポリフェニレン、ポリスルホン、ポリ塩化ビニル、ポリ塩化ビニリデン、熱可塑性樹脂、エラストマー類、及びこれらの組み合わせからなる群より選択されるポリマー材料を含んでもよい。特に、好適なエラストマーは、Ｋｒａｉｂｕｒｇ  ＴＰＥ製のＫｒａｉｂｕｒｇエラストマーＨＴＡ８７２１／１０である。
【００１７】
ハンドル１０２は、長尺状構造体１０４とスリーブ２００とを提供する工程によって形成される。典型的には、ポリマー材料が成形されて、開口部１１０と開口部１１６とを有する長尺状構造体１０４が形成される。ポリマー材料が開口部１１０内に射出成形されて、開口部１１６の外部に延びる突出部２０６を含むスリーブ２００が形成される。別の実施において、長尺状構造体１０４は第２開口部１２０を有する。ポリマー材料は同様に開口部１２０内に射出されて、開口部１１６の外部に延びる突出部２０６を含むスリーブ２００が形成される。別の実施において、ポリマー材料は開口部１１６内に射出されて、開口部１１６の外部に延びる突出部２０６を含むスリーブ２００が形成される。
【００１８】
例えば、ハンドル１０２は、Ｓｕｐｒｅｍｅ  ＳＨ７３１Ｈ２ＹＧ  ＨＩＰＳのようなポリマー材料を約２２０℃に加熱する工程によって形成されてもよい。ポリマ〜が長尺状構造体のコアピンを有する金型内に移動される。ポリマーは金型内に流され、冷却した後、開口部１１０と、１１６と、１２０とを有する長尺状構造体１０４が形成される。次いで、長尺状構造体１０４は金型から除去され、長尺状構造体のコアピンから分離されてもよい。エラストマーのコアピンが、長尺状構造体１０４内に挿入される。ＫｒａｉｂｕｒｇエラストマーＨＴＡ８７２１／１０のようなエストラマー材が、約１９０℃に加熱される。このエストラマー材が開口部１２０内に射出され、エラストマーコアピンに沿って流れ、開口部１１０と１１６とから流れ出してもよい。エストラマー材が冷却するにつれ、長尺状構造体１０４内に、開口部１１６を通って延びる突出部２０６を有するスリーブ２００が形成される。
【００１９】
図３は、近位端部３０２と、遠位端部３０４と、上部分３０６と、下部分３０８と、接続アセンブリ４００と、を有するカートリッジ支持構造体３００を示す。図５は、上部分３０６を有し、接続アセンブリ４００が除去されたカートリッジ支持構造体を示す。近位端部３０２は、図４に示されるように、長尺状構造体１０４の近位端部１１２に係合可能に嵌り合うよう適合されている。図３に示される一実施形態において、カートリッジ支持構造体３００は、溝１１８と係合可能に嵌り合うためのリブ３１２を含む。別の実施形態において、リブ３１４は溝２１０と係合可能に嵌り合う。図４に示される別の実施形態では、リブ３１２は、溝２０８と係合可能に嵌り合う。ハンドル１０２をカートリッジ支持構造体３００と連結することにより、ハンドル１０２が液体を通さなくなる。カートリッジ支持構造体３００は、締まり嵌め、超音波溶接、接着剤、ねじ、スナップ嵌め、スピン溶接、又は意図する目的に適した他の方法により、ハンドル１０２に連結され得る。
【００２０】
カートリッジ支持構造体３００の遠位端部３０４は、カミソリカートリッジ（図示せず）に解放可能に係合するよう適合される。一実施形態において、図３に示される上部分３０６は、図６に示されるように除去可能である。図５に示される凹部３１０は、図６に示される接続アセンブリ４００を受けるよう適合されている。図６は、上部分３０６（図示せず）と下部分３０８との間において、図５に示されるカートリッジ支持構造体３００の凹部３１０内に位置する接続アセンブリ４００を示す。
【００２１】
一実施形態において、接続アセンブリ４００は、ベアリングボタン４０２と、略Ｕ形状のブラケット４０６と、カムフォロワー４０８と、ばね４１０とを含む。ベアリングボタン４０２は、カミソリカートリッジ（図示せず）と係合するための可動部材４０４ａ、４０４ｂを有する。接続アセンブリ４００は、カミソリカートリッジを係合又は離脱させるよう適合されている。図７Ａに示される第１位置において、可動部材４０４ａ、４０４ｂは互いに向かって移動してカミソリカートリッジを離脱させる。図７Ｂに示される第２位置において、可動部材４０４ａ、４０４ｂは互いから離れるよう移動して、カミソリカートリッジの係合を可能にする。一実施形態において、接続アセンブリ４００は、可動部材４０４ａ、４０４ｂを第２位置に移動させる所定の力をカミソリカートリッジから受けることによって、可動部材４０４ａ、４０４ｂを解放可能に係合させる。
【００２２】
上部分３０６は、ポリスチレン、ポリプロピレン、アクリロニトリルブタジエンスチレン、アクリリック、エチレンビニルアセテート、エチレンビニルアルコール、フッ素樹脂、ポリアセタール、ポリアクリレート、ポリアクリロニトリル、ポリアミド、ポリアミドイミド、ポリアリールエーテルケトン、ポリブタジエン、ポリブチレン、ポリブチレンテレフタレート、ポリエチレンテレフタレート、ポリカーボネート、ポリケトン、ポリエステル、ポリエチレン、ポリエーテルエーテルケトン、ポリエーテルイミド、ポリスルホン、ポリイミド、ポリフェニレン、ポリスルホン、ポリ塩化ビニル、ポリ塩化ビニリデン、熱可塑性樹脂、エラストマー類、金属、合金、及びこれらの組み合わせからなる群から形成されてもよい。特に、上部分３０６は、Ｓｕｐｒｅｍｅ  ＳＨ７３１Ｈ２ＹＧ  ＨＩＰＳ、又はアルミニウム若しくはアルミニウム合金材料から形成される。
【００２３】
ベアリングボタン４０２とカムフォロワー４０８とは、ポリプロピレン、アクリロニトリルブタジエンスチレン、アクリリック、エチレンビニルアセテート、エチレンビニルアルコール、フッ素樹脂、ポリアセタール、ポリアクリレート、ポリアクリロニトリル、ポリアミド、ポリアミドイミド、ポリアリールエーテルケトン、ポリブタジエン、ポリブチレン、ポリブチレンテレフタレート、ポリエチレンテレフタレート、ポリカーボネート、ポリケトン、ポリエステル、ポリエチレン、ポリエーテルエーテルケトン、ポリエーテルイミド、ポリスルホン、ポリイミド、ポリフェニレン、ポリスルホン、ポリ塩化ビニル、ポリ塩化ビニリデン、熱可塑性樹脂、エラストマー類、及びこれらの組み合わせからなる群より選択されるポリマー材料を含んでもよい。特に、好適なポリアセタールは、Ｔｉｃｏｎａ  ＧｍｂＨ製のＨｏｓｔａｆｏｒｍ（登録商標）Ｃ９０２１である。
【表１】
0005512670.tif 000002
【００２４】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００２５】
いずれの文献の引用もこうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。いずれの文献の引用も、こうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更に、本文書における用語のいずれかの意味又は定義が、援用文献における同一の用語のいずれかの意味又は定義と相反する限りにおいては、本文書においてその用語に与えられた意味又は定義を優先するものとする。
【００２６】
本発明の特定の実施を例示及び説明してきたが、本発明の趣旨及び範囲から逸脱することなく他の様々な変更及び修正を行えることが当業者には明白であろう。したがって、本発明の範囲内にあるそのようなすべての変更及び修正を、添付の書類名特許請求の範囲で扱うものとする。
【図１】
0005512670.tif 000003
【図２Ａ】
0005512670.tif 000004
【図２Ｂ】
0005512670.tif 000005
【図３】
0005512670.tif 000006
【図４】
0005512670.tif 000007
【図５】
0005512670.tif 000008
【図６】
0005512670.tif 000009
【図７Ａ】
0005512670.tif 000010
【図７Ｂ】
0005512670.tif 000011
【図８】
0005512670.tif 000012
【図９】
0005512670.tif 000013
【図１０】
0005512670.tif 000014
【図１１】
0005512670.tif 000015
【図１２】
0005512670.tif 000016
【図１３】
0005512670.tif 000017
【図１４】
0005512670.tif 000018
【図１５】
0005512670.tif 000019
【図１６】
0005512670.tif 000020
【図１７】
0005512670.tif 000021
【図１８】
0005512670.tif 000022